(57)【要約】【課題】本発明は、圧送排水システムにおける小型の圧送排水ポンプユニットにおいて、排水ポンプが故障した際でも人為的な介在なしに、排水機能を持続可能にするバックアップ機能を提供する。【解決手段】本発明は、水中ポンプ６ａと、本体ケース１内に流入してきた排水を検知し水中ポンプ６ａの運転の開始及び停止を制御するスイッチユニット６ｂとを組み合わせた排水ポンプユニット６を一つの本体ケース１に２以上内蔵し、それぞれを仕切るように本体ケース１内部に設置した隔壁３と、必要により隔壁３の上端に設けた切り欠き４、さらに、高さ調整用のフラップ５を備えることにより、排水ポンプユニットが故障しても人為的な介在なしに、排水機能を持続するバックアップ機能を提供する。【選択図】図１
2016145567.tif 000002
【特許請求の範囲】
【請求項１】
２以上の排水ポンプを有し、それぞれを仕切るように隔壁を設けた排水ポンプユニットの本体ケース
【請求項２】
請求項１の本体ケース内に、制御がそれぞれ独立した排水ポンプを有する排水ポンプユニット
【請求項３】
隔壁の上端に切り欠き部を有し、可動式のフラップにより、オーバーフローの高さを調整ができる、請求項１の本体ケース。
【請求項４】
切り欠き部が、型押し溝により離脱可能に設けられている請求項１の本体ケース。
【発明の詳細な説明】
【技術分野】
【０００１】この発明は、圧送排水システムを構成する機器部材のうち圧送排水ポンプユニットにおいて、バックアップ機能を提供するための本体構造に関するものである。
【背景技術】
【０００２】従来の排水システムでは、こう配を設けた排水管を用いて重力により排水を流下させるために４０〜７５ｍｍ程度の排水管を使用する必要がある。このため、既存の住宅において水まわりの移設や増設する際に排水管を敷設することが困難となる場合があった。【０００３】圧送排水システムは、小型の圧送排水ポンプユニットを用いることで、以降の排水管を２０〜２５ｍｍ程度の小口径の排水管とすることができ、かつ、こう配を不要とすることができる。これにより、直床など床下に空間がない場合でも壁内や天井裏の空間を利用して排水することができるため、近年では日本国内でも普及してきている。【０００４】この小型の圧送排水ポンプユニットは、図２に示すような構造で、小型の水中ポンプ６ａと水位を検知しモーターの運転・停止を感知するスイッチ６ｂとをケース内に収めて一体にし、取り扱いをしやすくしたものである。
【発明の概要】
【発明が解決しようとする課題】
【０００５】小型の圧送排水ポンプユニットにおいて故障した場合には、本体ケース１の上部に設けられた蓋２を開けて内部の排水ポンプユニット６を交換するなどの修理することはできたが、故障発生してから修理が完了するまでは、排水することができないという欠点があった。【０００６】また、ひとつの本体ケース内に２つの排水ポンプユニット６を内蔵し、平常時は自動交互運転する製品も市販されている。水中ポンプは共通の制御部に接続されており、自動交互運転するほか、一方の排水ポンプユニット６が故障した場合には、もう一方の排水ポンプユニット６で排水することができる。しかし、制御部はひとつであるがために、多量の排水が流入した際には、２台同時運転に対応できる利点がある一方で、制御部分が故障した際には排水することができなくなるという欠点があった。【０００７】さらに、２つの排水ポンプユニット６の運転時間は、ほぼ同程度に使用されるため、使用することによる劣化も同程度で進み、一方の排水ポンプユニットが故障すると、さほど時間を空けずに、もう一方の排水ポンプユニットも交換時期を迎える。
【課題を解決するための手段】
【０００８】本体ケース１内に２以上の排水ポンプユニット６を有し、それぞれを仕切るように隔壁３を設けて、本体ケース１内部のポンプ室を分割し、少なくとも１つのポンプ室には排水が流入するための流入口１０を設ける。【０００９】この隔壁３の高さは、水中ポンプの運転水位よりも高くする。また、この隔壁３には、高さを調整するため機能として、隔壁３の上端部に切り欠き４やフラップ５を設けておいてもよい。【００１０】排水ポンプユニット６は、水中ポンプ６ａと、水位を検知しモーターの運転・停止を感知するスイッチ６ｂとをそれぞれ組み合わせたものとし、制御部を別にして独立して駆動する構造とする。
【発明の効果】
【００１１】本体ケース１内部に隔壁３を設けたことにより、低い水位の時には隣のポンプ室に流入しない。平常時は、排水が流入すると流入側のポンプ室内の水位のみが上昇し、運転水位に達すると排水ポンプユニット６により排出される。異物による詰まりなどの故障によって排水ポンプユニット６が動かない場合には、流入した排水は、隔壁を超えて隣室のポンプ室に流入することができ、運転水位に達すると排水ポンプユニット６’により排出される。つまり、流入側の排水ポンプユニット６が故障した際には、排水は流入側のポンプ室からバックアップ側のポンプ室へとオーバーフローし、排水ポンプユニット６’が自動的にバックアップ運転を開始する。使用者は、故障発生時でも故障を意識することなく、平常時と同様に排水することができる。【００１２】故障の発生は、電極棒などのセンサーを用いて、排水ポンプユニット６が故障したこと、または、流入側のポンプ室の水位が異常水位に達したこと、もしくは、オーバーフローが発生したことを検知し、信号を警報盤などに接続して表示灯やブザーなどにより使用者に通知すればよい。【００１３】警報の通知を受けた際には、点検や修理を行う必要があるが、修理が完了するまでは、バックアップ用の排水ポンプユニット６’により排水することができるため、メインの排水ポンプユニット６の修理が完了するまでの時間的な猶予が得られる。【００１４】通常は、バックアップ側のポンプ室には排水が流入しないため、バックアップ用の排水ポンプユニット６’は、平常時には排水に触れることはなく、汚れることもない。このことは、使用することで生じる劣化や故障の可能性を抑えることができる利点がある。別の見方をすればバックアップ側のポンプ室は、予備の交換用排水ポンプユニットの格納場所を確保しているとも見なすことができる。交換用の排水ポンプユニットがすぐに入手できなくても、排水ポンプユニット６’を排水ポンプユニット６と交換して復旧しておけば、通常使用には問題ない状態に修理ができる。その後、交換用の排水ポンプユニットを入手することができたらバックアップ側の排水ポンプユニット６’の位置に収納すればよく、制御部も含めて独立している排水ポンプユニットの場合には、排水ポンプユニット６を停止することなくバックアップ機能を復旧することもできる。【００１５】隔壁３の上端に設けた、例えば切り欠き４は、高さを調整できる機能を提供するもので、排水器具から溢れる前に、バックアップ側のポンプ室にオーバーフローするよう調整できるようにするためのものである。特に、グリス阻集器などの排水器具の溢れ縁が低い排水器具と接続した際、通常よりも低い水位でバックアップ側のポンプ室へオーバーフローさせる必要がある際に、設置後にも柔軟に対応する。
【図面の簡単な説明】
【００１６】
【図１】本発明の使用状態を示す斜視図である。
【図２】小型の圧送排水ユニットの構造を示す断面図である。
【図３】本発明の実施形態を示す図で、フラップを用いた例である。
【図４】本発明の実施形態を示す図で、スライド式のゲートを用いた例である。
【図５】本発明の実施形態を示す図で、型押し溝の例である。
【発明を実施するための形態】
【００１７】以下、本発明の実施の形態について説明する。
（イ）．本体ケース１内に２以上の水中ポンプを有し、それぞれを仕切るように隔壁３を設ける。
（ロ）．本体ケース１の流入側には、排水管を接続するための流入口１０を設ける。
（ハ）．隔壁３の上端には、オーバーフローの高さ調整用の切り欠き４を設けてもよい。
（ニ）．隔壁３の上端に設けた切り欠き４には、オーバーフローの高さ調整用のフラップ５を設けてもよい。
（ホ）．隔壁３の上端の切り欠き４は、型押し溝９により離脱可能としてもよい。
【符号の説明】
【００１８】１  本体ケース
２  ケース蓋
３  隔壁
４  切り欠き
５  フラップ
６  排水ポンプユニット
６ａ  水中ポンプ
６ｂ  スイッチユニット
６’  バックアップ用排水ポンプユニット
７  固定用ナット
８  スライドゲート
９  型押し溝
１０  流入口
【図１】
2016145567.tif 000003
【図２】
2016145567.tif 000004
【図３】
2016145567.tif 000005
【図４】
2016145567.tif 000006
【図５】
2016145567.tif 000007